(57)【要約】【課題】  流量を計測するための複数の部品が、容器内でがたつくかず、かつ、過度を力を受けずに収容可能な水道メータ及びその計測部ユニットを提供する。【解決手段】  本発明の水道メータ１０に備えた計測部ユニット１３によれば、磁気センサ３０、回路基板３４、表示器３５及びインナーハウジング４０を組み付けた状態における上下方向の寸法と、容器３１の底面と透視部材３３との間隔とがばらついても、そのばらつきを方持ち梁５４の変形によって吸収することができる。これにより、容器３１内の複数の部品が、従来のように上下方向でがたつくことなくなると共に過度を力を受けることなくなる。また、これにより、各部品の寸法精度を高精度にせずにすむので、製造費も抑えることができる。【選択図】  図３
2005292096.tif 000002
【特許請求の範囲】
【請求項１】
水道水の流れに応じて回転する翼車の上方に配置され、前記翼車に固定された磁石の回転を検出し、その検出結果に基づいて水道水の流量を演算して表示する水道メータの計測部ユニットであって、
前記磁石の回転を検出するための磁気センサと、前記磁気センサの検出結果に基づいて前記水道水の流量を演算するための流量演算回路基板と、その演算された水道水の流量を表示するための表示器と、これら磁気センサ、流量演算回路基板及び表示器を保持したインナーハウジングとを、下端有底の容器の内部に収容すると共に、透視部材にて前記容器の上面開口を密閉してなり、
前記インナーハウジングには、前記磁気センサを保持しかつ前記容器の底面に直接又は間接的に押しつけられて位置決めされたセンサ保持部材と、前記透視部材に直接又は間接的に押しつけられて位置決めされたハウジング本体と、前記ハウジング本体と前記センサ保持部材とから上下方向の力を受けて弾性変形された弾性変形部とが備えられたことを特徴とする水道メータの計測部ユニット。
【請求項２】
前記センサ保持部材と前記ハウジング本体とを別部品とし、
前記ハウジング本体の底壁と前記センサ保持部材との何れか一方に、上下方向で対向した１対の上下動規制壁を形成すると共に、他方に、前記１対の上下動規制壁の間に上下動可能に挟持された内側係止壁を形成し、
前記弾性変形部は、前記ハウジング本体又は前記センサ保持部材の何れかに一体形成されて他方側に押しつけられ、前記センサ保持部材を前記容器の底面側に付勢する弾性梁で構成されたことを特徴とする請求項１に記載の水道メータの計測部ユニット。
【請求項３】
前記ハウジング本体の底壁には、一端が前記ハウジング本体の側方に開放した側部挿入口を有する組付用開口が形成され、
前記センサ保持部材が、前記側部挿入口から前記組付用開口内にスライド挿入されることで、前記１対の上下動規制壁の間に前記内側係止壁が挟持されると共に、前記ハウジング本体又は前記センサ保持部材の何れか一方に形成された前記弾性梁が他方に乗り上がって弾性変形されるように構成されたことを特徴とする請求項２に記載の水道メータの計測部ユニット。
【請求項４】
前記ハウジング本体の底壁のうち前記組付用開口を挟んで対向する１対の側部開口縁には、前記側部挿入口側に配置された厚肉部と、前記側部挿入口から離れた奥側に配置された薄肉部とが形成されて、前記薄肉部により前記内側係止壁が構成され、
前記センサ保持部材には、前記１対の側部開口縁の間に挟まれかつ内部に前記磁気センサを収容したセンサ収容部と、前記センサ収容部の両側面から側方に張り出して上下方向で対向した上側突片及び下側突片が形成されて、これら上側突片及び下側突片から前記１対の上下動規制壁が構成され、
前記センサ保持部材が前記組付用開口に挿入されたときに前記上側突片と前記下側突片との間を前記厚肉部が通過し、前記センサ保持部材が前記組付用開口の正規の位置まで挿入されると、前記弾性梁の弾発力によって、前記上側突片が、前記厚肉部と前記薄肉部との段差部分に収まって、抜け止めされることを特徴とする請求項３に記載の水道メータの計測部ユニット。
【請求項５】
前記弾性梁は、前記ハウジング本体の底壁のうちスリットによって囲まれた部分で構成されると共に、前記組付用開口の両側に対をなして設けられ、
前記弾性梁には、前記下側突片に向けて突出した押圧突部が設けられ、前記下側突片には、前記押圧突部が乗り上がって前記弾性梁を撓ませるための突部摺接テーパー面が形成されたことを特徴とする請求４に記載の水道メータの計測部ユニット。
【請求項６】
前記押圧突部は、前記センサ保持部材が前記組付用開口に挿入される方向と斜めに交差する方向に並べて配置されたことを特徴とする請求項５に記載の水道メータの計測部ユニット。
【請求項７】
前記一方の弾性梁は、前記組付用開口のうち前記側部挿入口側に先端部を備えた片持ち梁であると共に、他方の弾性梁は、前記組付用開口のうち前記側部挿入口と反対側に先端部を備えた片持ち梁であり、それら各片持ち梁の先端部に前記押圧突部が一体形成されると共に、それら片持ち梁の先端部は、前記センサ保持部材が前記組付用開口に挿入される方向と斜めに交差する方向に並べて配置されたことを特徴とする請求項６に記載の水道メータの計測部ユニット。
【請求項８】
前記押圧突部の先端には、先端突起が突出形成されると共に、前記下側突片には、前記センサ保持部材が前記組付用開口の正規の位置まで挿入されたときに、前記先端突起が凹凸係合する係合孔が形成されたことを特徴とする請求項５乃至７の何れかに記載の水道メータの計測部ユニット。
【請求項９】
前記下側突片には、前記センサ保持部材を前記組付用開口に挿入する過程で、前記先端突起がスライド係合する突起収容溝が形成されると共に、
前記突起収容溝の終端部には、その突起収容溝を徐々に浅くし、前記先端突起を前記突起収容溝から押し出して前記係合孔の開口縁に案内する押出テーパー底面が設けられたことを特徴とする請求項８に記載の水道メータの計測部ユニット。
【請求項１０】
前記インナーハウジングは、前記ハウジング本体と別体形成された基板保持部材を備えると共に、前記基板保持部材が前記ハウジング本体の上面に組み付けられ、
前記基板保持部材に、前記演算回路基板が固定されると共に、前記演算回路基板に前記表示器が固定され、
前記ハウジング本体には、前記磁気センサの前記演算回路基板との間を繋ぐ電線を、前記ハウジング本体の側方から前記ハウジング本体内に収容するための側部電線収容口が形成されたことを特徴とする請求項１乃至９の何れかに記載の水道メータの計測部ユニット。
【請求項１１】
前記容器は金属製であり、前記透視部材を前記容器の上面開口の内側に嵌合した状態で、前記容器の開口縁全周が前記透視部材に係止するようにカーリング加工されたことを特徴とする請求項１乃至１０の何れかに記載の水道メータの計測部ユニット。
【請求項１２】
請求項１乃至１１の何れかに記載の水道メータの計測部ユニットを備えたことを特徴とする水道メータ。
【発明の詳細な説明】
【技術分野】
【０００１】
本発明は、水道水の流れに応じて回転する翼車の上方に配置され、翼車に固定された磁石の回転を検出し、その検出結果に基づいて水道水の流量を演算して表示する計測部ユニット及びその計測部ユニットを備えた水道メータに関する。
【背景技術】
【０００２】
従来、この種の水道メータの計測部ユニットとして、下端有底の容器に、磁気センサ、流量演算回路及び流量を表示するための表示器等の複数の内蔵部品を収容してから、その容器の上面開口を透視ガラスで閉塞したものが知られている（例えば、特許文献１参照）。
【特許文献１】特許３２４０２４１号公報（段落［００２９］、第１図）
【発明の開示】
【発明が解決しようとする課題】
【０００３】
しかしながら、上記した従来の水道メータの計測部ユニットにおいては、容器の底面と透視ガラスとの間の寸法と、複数の内蔵部品の組み付け寸法とのばらつきにより、内蔵部品が容器内でがたついたり、逆に、内蔵部品が容器内で上下方向から過度の力を受けて損傷する事態が起こり得た。
【０００４】
本発明は、上記事情に鑑みてなされたもので、流量を計測するための複数の部品が、容器内でがたつかず、かつ、過度の力を受けずに収容可能な水道メータ及びその計測部ユニットの提供を目的とする。
【課題を解決するための手段】
【０００５】
上記目的を達成するためになされた請求項１の発明に係る水道メータの計測部ユニットは、水道水の流れに応じて回転する翼車の上方に配置され、翼車に固定された磁石の回転を検出し、その検出結果に基づいて水道水の流量を演算して表示する水道メータの計測部ユニットであって、磁石の回転を検出するための磁気センサと、磁気センサの検出結果に基づいて水道水の流量を演算するための流量演算回路基板と、その演算された水道水の流量を表示するための表示器と、これら磁気センサ、流量演算回路基板及び表示器を保持したインナーハウジングとを、下端有底の容器の内部に収容すると共に、透視部材にて容器の上面開口を密閉してなり、インナーハウジングには、磁気センサを保持しかつ容器の底面に直接又は間接的に押し付けられて位置決めされたセンサ保持部材と、透視部材に直接又は間接的に押し付けられて位置決めされたハウジング本体と、ハウジング本体とセンサ保持部材とから上下方向の力を受けて弾性変形された弾性変形部とが備えられたところに特徴を有する。
【０００６】
請求項２の発明は、請求項１に記載の水道メータの計測部ユニットにおいて、センサ保持部材とハウジング本体とを別部品とし、ハウジング本体の底壁とセンサ保持部材との何れか一方に、上下方向で対向した１対の上下動規制壁を形成すると共に、他方に、１対の上下動規制壁の間に上下動可能に挟持された内側係止壁を形成し、弾性変形部は、ハウジング本体又はセンサ保持部材の何れかに一体形成されて他方側に押し付けられ、センサ保持部材を容器の底面側に付勢する弾性梁で構成されたところに特徴を有する。
【０００７】
請求項３の発明は、請求項２に記載の水道メータの計測部ユニットにおいて、ハウジング本体の底壁には、一端がハウジング本体の側方に開放した側部挿入口を有する組付用開口が形成され、センサ保持部材が、側部挿入口から組付用開口内にスライド挿入されることで、１対の上下動規制壁の間に内側係止壁が挟持されると共に、ハウジング本体又はセンサ保持部材の何れか一方に形成された弾性梁が他方に乗り上がって弾性変形されるように構成されたところに特徴を有する。
【０００８】
請求項４の発明は、請求項３に記載の水道メータの計測部ユニットにおいて、ハウジング本体の底壁のうち組付用開口を挟んで対向する１対の側部開口縁には、側部挿入口側に配置された厚肉部と、側部挿入口から離れた奥側に配置された薄肉部とが形成されて、薄肉部により内側係止壁が構成され、センサ保持部材には、１対の側部開口縁の間に挟まれかつ内部に磁気センサを収容したセンサ収容部と、センサ収容部の両側面から側方に張り出して上下方向で対向した上側突片及び下側突片が形成されて、これら上側突片及び下側突片から１対の上下動規制壁が構成され、センサ保持部材が組付用開口に挿入されたときに上側突片と下側突片との間を厚肉部が通過し、センサ保持部材が組付用開口の正規の位置まで挿入されると、弾性梁の弾発力によって、上側突片が、厚肉部と薄肉部との段差部分に収まって、抜け止めされるところに特徴を有する。
【０００９】
請求項５の発明は、請求４に記載の水道メータの計測部ユニットにおいて、弾性梁は、ハウジング本体の底壁のうちスリットによって囲まれた部分で構成されると共に、組付用開口の両側に対をなして設けられ、弾性梁には、下側突片に向けて突出した押圧突部が設けられ、下側突片には、押圧突部が乗り上がって弾性梁を撓ませるための突部摺接テーパー面が形成されたところに特徴を有する。
【００１０】
請求項６の発明は、請求項５に記載の水道メータの計測部ユニットにおいて、押圧突部は、センサ保持部材が組付用開口に挿入される方向と斜めに交差する方向に並べて配置されたところに特徴を有する。
【００１１】
請求項７の発明は、請求項６に記載の水道メータの計測部ユニットにおいて、一方の弾性梁は、組付用開口のうち側部挿入口側に先端部を備えた片持ち梁であると共に、他方の弾性梁は、組付用開口のうち側部挿入口と反対側に先端部を備えた片持ち梁であり、それら各片持ち梁の先端部に押圧突部が一体形成されると共に、それら片持ち梁の先端部は、センサ保持部材が組付用開口に挿入される方向と斜めに交差する方向に並べて配置されたところに特徴を有する。
【００１２】
請求項８の発明は、請求項５乃至７の何れかに記載の水道メータの計測部ユニットにおいて、押圧突部の先端には、先端突起が突出形成されると共に、下側突片には、センサ保持部材が組付用開口の正規の位置まで挿入されたときに、先端突起が凹凸係合する係合孔が形成されたところに特徴を有する。
【００１３】
請求項９の発明は、請求項８に記載の水道メータの計測部ユニットにおいて、下側突片には、センサ保持部材を組付用開口に挿入する過程で、先端突起がスライド係合する突起収容溝が形成されると共に、突起収容溝の終端部には、その突起収容溝を徐々に浅くし、先端突起を突起収容溝から押し出して係合孔の開口縁に案内する押出テーパー底面が設けられたところに特徴を有する。
【００１４】
請求項１０の発明は、請求項１乃至９の何れかに記載の水道メータの計測部ユニットにおいて、インナーハウジングは、ハウジング本体と別体形成された基板保持部材を備えると共に、基板保持部材がハウジング本体の上面に組み付けられ、基板保持部材に、演算回路基板が固定されると共に、演算回路基板に表示器が固定され、ハウジング本体には、磁気センサの演算回路基板との間を繋ぐ電線を、ハウジング本体の側方からハウジング本体内に収容するための側部電線収容口が形成されたところに特徴を有する。
【００１５】
請求項１１の発明は、請求項１乃至１０の何れかに記載の水道メータの計測部ユニットにおいて、容器は金属製であり、透視部材を容器の上面開口の内側に嵌合した状態で、容器の開口縁全周が透視部材に係止するようにカーリング加工されたところに特徴を有する。
【００１６】
請求項１２の発明に係る水道メータは、請求項１乃至１１の何れかに記載の水道メータの計測部ユニットを備えたところに特徴を有する。
【発明の効果】
【００１７】
［請求項１及び１２の発明］
本発明に係る計測部ユニット及びその計測部ユニットを備えた水道メータでは、磁気センサ、流量演算回路基板、表示器及びインナーハウジングが共に容器に収容されかつ、その容器の底面と透視部材との間に挟まれて固定される。このとき、これら磁気センサ、流量演算回路基板、表示器及びインナーハウジングを組み付けた状態の上下方向の寸法と、容器の底面と透視部材との間の寸法とがばらついても、それらばらつきを弾性変形部の変形によって吸収することができる。これにより、流量を計測するための複数の部品が、容器内でがたつかず、かつ過度を力を受けずに収容される。
【００１８】
［請求項２の発明］
請求項２の構成によれば、内側係止壁が１対の上下動規制壁の間を上下動可能な範囲で、センサ保持部材がハウジング本体に対して上下動し、計測部ユニットの組み付け上のばらつきが吸収される。また、弾性変形部の弾発力によってセンサ保持部材が容器の底面に押し付けられ、がたつきが防止される。
【００１９】
［請求項３の発明］
請求項３の構成によれば、ハウジング本体の底壁に形成された組付用開口に、センサ保持部材をスライド挿入するだけで、１対の上下動規制壁の間に内側係止壁が挟持されかつ弾性梁が弾性変形されるので、組み付け作業が容易になる。
【００２０】
［請求項４の発明］
請求項４の構成によれば、センサ保持部材を組付用開口に挿入すると、センサ保持部材に備えた上側突片と下側突片との間を、ハウジング本体の組付用開口の側部開口縁に備えた厚肉部が通過し、センサ保持部材が組付用開口の正規の位置まで挿入されると、弾性梁の弾発力によって、上側突片が、ハウジング本体における厚肉部と薄肉部との段差部分に収まって抜け止めが図られる。これにより、センサ保持部材を組付用開口の正規の位置に容易に保持することができる。
【００２１】
［請求項５の発明］
請求項５の構成によれば、センサ保持部材を組付用開口に挿入すると、組付用開口の両側の弾性梁に備えた各押圧突部が、センサ保持部材の下側突片に形成された突部摺接テーパー面に乗り上がって弾性変形され、両弾性梁によって下側突辺を押し下げる。これにより、インナーハウジングを容器内に組み付けたときに、センサ保持部材を容器の底面に押し付けることができる。
【００２２】
［請求項６の発明］
請求項６の構成によれば、押圧突部は、センサ保持部材が組付用開口に挿入される方向と斜めに交差する方向に並べて配置されたので、センサ保持部材のうち組付用開口への挿入方向の前寄り位置と後寄り位置の両方に押圧突部を押し付けることができる。
【００２３】
［請求項７の発明］
請求項７の構成によれば、センサ保持部材のうち組付用開口への挿入方向の前寄り位置と後寄り位置の両方を押さえることが可能な１対の片持ち梁を、互いに逆向きに延ばしたので、それら１対の片持ち梁を同じ向きに延ばした場合に比べてコンパクトになる。
【００２４】
［請求項８の発明］
請求項８の構成によれば、センサ保持部材が組付用開口の正規の位置まで挿入されると、先端突起が係合孔に凹凸係合することでクリック感が得られ、センサ保持部材が正規の位置に至ったことを作業者が認識することができると共に、センサ保持部材を正規の位置に保持することができる。
【００２５】
［請求項９の発明］
請求項９の構成によれば、センサ保持部材を組付用開口に挿入する過程で、先端突起が突起収容溝にスライド係合し、センサ保持部材が正規の位置に案内されると共に、先端突起の摩耗が防がれる。
【００２６】
［請求項１０の発明］
請求項１０の構成によれば、磁気センサと流量演算回路基板とを電線で繋いだ状態にしてから、これをハウジング本体に組み付ける際に、電線が、ハウジング本体に備えた側部電線収容口を通ってスムーズにハウジング本体内に収容される。
【００２７】
［請求項１１の発明］
請求項１１の構成によれば、透視部材の全周が容器の開口縁に係止され、係止部材を確実に固定することができる。
【発明を実施するための最良の形態】
【００２８】
以下、本発明の一実施形態を図１〜図１５に基づいて説明する。
本実施形態の水道メータ１０は、ボディ１１の内部に、翼車１２と計測部ユニット１３とを組み付けてなる。ボディ１１は、ボディ本体２５に、中間蓋２１、抜け止め筒２６及び螺合リング２７を組み付けてなる。ボディ本体２５は、軸心が上下方向を向いた円筒収容部１４の側面から１対の連結管部１５，１５を相反する方向に突出形成した構造になっている。そして、これら連結管部１５，１５に図示しない水道管が連結されて、円筒収容部１４の内部を水道水が通過する。
【００２９】
翼車１２は、上下方向に延びた軸部１６から放射状に複数の翼１７を張り出してなる。軸部１６の軸心部には、下端から上端寄り位置まで軸受孔１６Ａが形成されている。そして、円筒収容部１４の底面の中心から上方に起立したニードル１８が、軸部１６の軸受孔１６Ａ内に挿入されて、ニードル１８の上端部が軸受孔１６Ａの上端側奥面に突き当てられている。この状態で、翼１７は円筒収容部１４の底面から浮いた状態に保持され、円筒収容部１４内を通過する水道水によって翼車１２がニードル１８を中心にして回転する。
【００３０】
軸部１６の上端部には、磁石２０が固定されている。磁石２０は、軸部１６の軸方向と直行する方向でＮ・Ｓ極に分極しており、これにより磁石２０の周囲の磁束の向きが、翼車１２の回転位置に応じて変化する。
【００３１】
なお、磁石２０の上面には、先端カバー２０Ａが固定されている。この先端カバー２０Ａは、全体的に丸みを帯びて中心部が高くなった丘陵形状をなっている。これにより、翼車１２が上方に浮き上がった場合において、磁石２０と次述する中間蓋２１との当接が防がれると共に、翼車１２と中間蓋２１との摺動摩擦の低減が図られる。
【００３２】
円筒収容部１４には、底側に翼車１２を収容した状態で中間蓋２１が組み付けられる。中間蓋２１は、全体として下端有底の円筒状をなしかつ、その上端部側の外径が段付き状に大きくなっている。そして、中間蓋２１の外周面の段差部が、円筒収容部１４の上端開口側の段差部に突き当たてられて位置決めされている。
【００３３】
中間蓋２１には、その底壁の下面を上方に陥没させて受容部２２が形成され、ここに翼車１２の軸部１６が突入している。そして、先端カバー２０Ａが受容部２２の天井面との間に僅かな隙間を空けた状態で対向して、翼車１２の上下動が規制されかつ、磁石２０が受容部２２の内壁によって周りを覆われて保護されている。
【００３４】
計測部ユニット１３は、中間蓋２１に備えた凹所２３に上方から嵌合される。計測部ユニット１３は、外側を容器３１によって覆われている。容器３１は、例えば、板金を下端有底の円筒状に成形してなる。また、図２に示すように、容器３１は、上端寄り位置に段差部３１Ｄを備え、その段差部３１Ｄより上方側の径が下方側の径より大きくなっている。さらに、容器３１の底壁には、その中心部分を僅かに下方に陥没した底面凹所３１Ｔが形成されている。
【００３５】
容器３１の内部には、複数の部品がインナーハウジング４０に組み付けられて収容されている。インナーハウジング４０は、図３に示すように、ハウジング本体４１とセンサ保持部材４２と基板保持部材４５とに分解可能となっている。
【００３６】
ハウジング本体４１は、容器３１に嵌合される円筒壁５０の下面に底壁５１を有し、全体として下端有底の円筒形状になっている。
【００３７】
円筒壁５０には、その周方向の一部を上下全体に亘って切除して側部電線収容口５２が形成されている。また、底壁５１には、側部電線収容口５２と連続するように組付用開口６０が形成されている。詳細には、組付用開口６０は、側部電線収容口５２に連続した側部挿入口６０Ａを備え、底壁５１の中心を通って奥側が閉じている。
【００３８】
図４に示すように、ハウジング本体４１における底壁５１のうち、組付用開口６０を間に挟んで対向した１対の側部開口縁６０Ｂ，６０Ｂには、組付用開口６０の奥行き方向の途中部分に、１対のテーパー部５９，５９が対称に配置して備えられ、これらテーパー部５９，５９によって組付用開口６０の幅が奥側に向かう途中で狭くなっている。
【００３９】
各側部開口縁６０Ｂの肉厚は、テーパー部５９より所定の長さだけ奥側の位置で段付き状に薄くなっており、その段差部分より側部挿入口６０Ａ側が本発明に係る厚肉部５８をなし、段差部分より奥側が本発明に係る薄肉部５７になっている。また、これら厚肉部５８と薄肉部５７とは、図６に示すように、下面側は面一になっており、上面側が段差部５７Ｄになっている。
【００４０】
ハウジング本体４１における底壁５１には、１対の片持ち梁５４，５４が組付用開口６０の両側に形成されている。片持ち梁５４は、底壁５１の一部をスリット５３で囲んでなる。両片持ち梁５４，５４の基端部は、側部開口縁６０Ｂから組付用開口６０と離れる側に立ち上がって途中で直角に曲がり、全体として組付用開口６０の奥行き方向と平行に延びている。また、一方の片持ち梁５４の先端部は、組付用開口６０の側部挿入口６０Ａ側を向くように配置される一方、他方の片持ち梁５４の先端部は、組付用開口６０の奥側を向くように配置されている。そして、これら両片持ち梁５４，５４が、底壁５１の中心点に対して点対称になっている。
【００４１】
各片持ち梁５４の先端には、半円球状の押圧突部５５が下方に向けて突出している。また、片持ち梁５４の先端からは、片持ち梁５４より小さな半円球状の先端突起５６が下方に向けて突出している。
【００４２】
センサ保持部材４２は、図７に示すように、箱形のセンサ収容部７０の両側面から両側方に側部突片７１，７１（本発明に係る「下側突片」に相当する）を張り出した構造になっている。このセンサ収容部７０は、上下方向から押しつぶされた扁平箱形状をなし、センサ収容部７０のうち図８の右側を向いた端面には、センサ挿入口７０Ａが開口している。センサ収容部７０の上面の両側部には、図７に示すように、スリット７７Ｓが形成され、これによりセンサ収容部７０の上面壁７７におけるセンサ挿入口７０Ａ側の端部が弾性変形可能となっている。また、図８に示すように上面壁７７のうちセンサ挿入口７０Ａ側の先端からは、下方に向けて係止突部７７Ａが突出している。センサ収容部７０の奥面からは、センサ挿入口７０Ａに向けて係止片７８が延びている。この係止片７８の先端には、下方に向けて押さえ突部７８Ａが突出している。
【００４３】
センサ収容部７０内には磁気センサ３０が挿入組み付けされている。その磁気センサ３０は、センサ収容部７０の内部空間に対応した扁平構造になっており、後端部からフラット電線３６が延びている。そして、磁気センサ３０がセンサ挿入口７０Ａからセンサ収容部７０内に挿入されると、その磁気センサ３０に係止突部７７Ａ及び押さえ突部７８Ａが乗り上がることで、上面壁７７及び係止片７８が上方に撓められる。また、磁気センサ３０がセンサ収容部７０の奥側まで挿入されると、図２に示すように、係止突部７７Ａが磁気センサ３０の端面に係止突部７７Ａが対峙して磁気センサ３０が抜け止めされる共に、押さえ突部７８Ａが磁気センサ３０の上面に当接して、磁気センサ３０が押さえられ、がたつきが防止される。
【００４４】
なお、上面壁７７には、図７に示すように、係止片７８を成形するための金型の抜き孔７８Ｎが開口している。
【００４５】
図７に示すように、センサ保持部材４２に備えた側部突片７１は、略矩形状をなし、センサ収容部７０の両側面のうち下縁部に配置され、センサ収容部７０の下面と側部突片７１の下面とが面一になっている（図１０参照）。また、センサ収容部７０の両側面の上縁部からは、側部突片７１と対向するように側部突条７３（本発明に係る「上側突片」に相当する）が張り出している。
【００４６】
側部突片７１のうちセンサ挿入口７０Ａ側の端部の上面には、突部摺接テーパー面７２が形成されている。また、側部突片７１には、センサ挿入口７０Ａを備えた側の端部から反対側の端部に向けて突起収容溝７４が延びており、各突起収容溝７４の終端から僅かに離れた延長線上の位置に係合孔７６が形成されている。また、突起収容溝７４の終端には、突起収容溝７４が徐々に浅くなるように押出テーパー底面７５が形成されている。さらに、両側部突片７１，７１に備えた両突起収容溝７４，７４の長さは互いに異なっており、従って係合孔７６，７６の位置も異なっている。そして、係合孔７６，７６の位置関係は、ハウジング本体４１における両片持ち梁５４，５４の間における先端突起５６，５６の位置関係に対応している。
【００４７】
センサ保持部材４２は、図６に示すように、側部挿入口６０Ａから組付用開口６０内に挿入される。このとき、組付用開口６０の両側の側部開口縁６０Ｂ，６０Ｂの間にセンサ保持部材４２におけるセンサ収容部７０が進入し、センサ保持部材４２における側部突片７１及び側部突条７３の間に、側部開口縁６０Ｂが厚肉方向で挟まれる。
【００４８】
センサ保持部材４２が奥側に移動する途中で、ハウジング本体４１の片持ち梁５４に備えた押圧突部５５が側部突片７１の突部摺接テーパー面７２に案内されて側部突片７１の上面に乗り上がる。これにより片持ち梁５４が上方に弾性変形する。そして、センサ保持部材４２の移動に伴って押圧突部５５が側部突片７１上を摺動する。このとき、押圧突部５５の先端に備えた薄肉部５７は、側部突片７１における突起収容溝７４内を移動する。これにより、センサ保持部材４２が案内されると共に、先端突起５６の摺動摩耗が防がれる。センサ保持部材４２が組付用開口６０における正規の位置に近づくと、突起収容溝７４に備えた押出テーパー底面７５により先端突起５６が突起収容溝７４から押し出される。そして、センサ保持部材４２が正規の位置に至ると、側部突片７１に形成された係合孔７６に先端突起５６が凹凸係合する。これにより、センサ保持部材４２が正規の位置に保持されると共に、凹凸係合のクリック感により、作業者はセンサ保持部材４２が正規の位置に至ったことを認識することができる。
【００４９】
また、センサ保持部材４２が正規の位置に至ると、側部突条７３が厚肉部５８を通過して薄肉部５７と対面し、片持ち梁５４の弾発力によってセンサ保持部材４２が下方に押し下げられる。これにより、側部突条７３が、薄肉部５７と厚肉部５８との段差分だけ下方に移動し、側部突条７３の端部が薄肉部５７と厚肉部５８との段差部５７Ｄに係止し（図１１参照）、センサ保持部材４２の抜け止めが図られる。
【００５０】
さらに、本実施形態の計測部ユニット１３では、押圧突部５５，５５が、点対称に配置されているので（図５参照）、センサ保持部材４２のうち組付用開口６０への挿入方向の前寄り位置と後寄り位置の両方を押さえることができる。そして、これら押圧突部５５，５５を先端に有する１対の片持ち梁５４，５４が、互いに逆向きになっているので、それら１対の片持ち梁を同じ向きに延ばした場合に比べてコンパクトな構成にすることができる。
【００５１】
図９に示すように、センサ保持部材４２のセンサ挿入口７０Ａから導出された磁気センサ３０のフラット電線３６は、上方に向かって延びている。そして、フラット電線３６の上端部は、流量演算回路基板３４（以下、単に「回路基板３４」という）の縁部寄り位置に半田付けされている。回路基板３４は、ハウジング本体４１の上端開口に対応した円形状になっており、回路基板３４の上面には表示器３５を含む電気回路が実装されている。
【００５２】
なお、表示器３５は、例えば、液晶表示器であって、水道水の流量をデジタル表示可能になっている。
【００５３】
回路基板３４の上面には、表示器３５以外の電気回路を覆うように上面ハウジング４３が重ねて取り付けられている。この上面ハウジング４３は、図１２に示すように、上面サブハウジング４４と１組になって基板保持部材４５を構成している。基板保持部材４５は、全体として円盤状になっており、その円盤の一部を横切るように設けられた分割面を境にして、上面ハウジング４３と上面サブハウジング４４とに分割可能になっている。
【００５４】
上面ハウジング４３は、円盤の大部分を構成し、上面ハウジング４３から下方に垂下した係止爪６２によって上面ハウジング４３が回路基板３４に係止している。そして、上面ハウジング４３は、図９に示すように、回路基板３４のうちフラット電線３６との半田接続部分を除いた全体を覆った状態に組み付けられ、上面ハウジング４３から下方に垂下された複数の係止爪６２を回路基板３４の下面に係止することで、上面ハウジング４３と回路基板３４とが組み付けられた状態に保持されている。上面ハウジング４３には、上面サブハウジング４４寄り位置に、表示窓６４が形成されており、この表示窓６４を通して表示器３５の表示面が上方に臨んでいる。また、上面ハウジング４３は、下面に開放した凹所４３Ａ（図２参照）を備え、ここに回路基板３４に実装された電気回路が収められている。さらに、上面ハウジング４３のうち上面サブハウジング４４と反対側の端部には、複数のピン孔６３が横並びにして設けられている。
【００５５】
図３に示すように、上面サブハウジング４４のうち上面ハウジング４３との間の分割面には、１対のアリ溝６６，６６が形成されている。そして、図１２に示すように、上面ハウジング４３に備えた１対の係合突部６５，６５を、上面サブハウジング４４のアリ溝６６，６６にスライド係合されて、上面サブハウジング４４と上面ハウジング４３とが互いに結合されている。また、上面サブハウジング４４にも、下面に開放した凹所４４Ａ（図２参照）が設けられ、ここに回路基板３４とフラット電線３６との半田接続部が収容されている。
【００５６】
図１０に示すように、これら基板保持部材４５及び回路基板３４とを組み付けた上部アッシ４９と、前記したセンサ保持部材４２とがフラット電線３６によって繋がれた状態に組み上げられてから、前述のようにセンサ保持部材４２がハウジング本体４１の底壁５１に係止される。このときフラット電線３６がハウジング本体４１の側部電線収容口５２を通過してハウジング本体４１内にスムーズに収容される。
【００５７】
この状態で、例えば、上部アッシ４９をハウジング本体４１の上面開口に対して斜めに起こし、そのハウジング本体４１の上面開口からハウジング本体４１内に電池３７をセットする。回路基板３４にリード線で接続された電池３７は、その軸方向をハウジング本体４１の径方向に向けてハウジング本体４１内に固定される。そして、上部アッシ４９をハウジング本体４１の方面開口に押し付けると、ハウジング本体４１の上部に備えた係止爪６１が、上部アッシ４９に係止する（図１１参照）。
【００５８】
この状態で、図１３に示すように、装飾シール６９を、基板保持部材４５の上面のうちピン孔６３の近傍と表示窓６４とを除く全体に貼付される。これにより、上面サブハウジング４４と上面ハウジング４３との境界線部分が覆い隠される。
【００５９】
このようにインナーハウジング４０に種々の部品が組み付けてなる内部部品アッシ４８（図１４参照）が、防水リング３２及び透視部材３３と共に容器３１に組み付けられる。
【００６０】
透視部材３３は、例えば、透明なガラスで円盤状に形成され、その下面の外縁部からは、下方に向けて環状突部３３Ａが突出している。そして、この環状突部３３Ａの内側に、基板保持部材４５の上面の外縁部を嵌合させるようにして、内部部品アッシ４８の上面に配置される。また、透視部材３３のうち基板保持部材４５の表示窓６４と対向する部分は、上方に隆起した隆起部３３Ｂをなっており、この隆起部３３Ｂを通して表示器３５を上方から見ることができる。さらに、透視部材３３には、複数の導電ピン３９が上下方向に貫通しており、透視部材３３が基板保持部材４５に組み付けられると、これら導電ピン３９が基板保持部材４５のピン孔６３内に突入して、回路基板３４の所定箇所に導通接続される。これにより、回路基板３４上の電気回路で処理した信号を計測部ユニット１３の外部に取り出すことができる。
【００６１】
防水リング３２は、容器３１の段差部３１Ｄに敷設される。この状態で、内部部品アッシ４８が容器３１内に嵌合される。すると、内部部品アッシ４８における基板保持部材４５が防水リング３２の内側に嵌合され、内部部品アッシ４８の下面に位置したセンサ保持部材４２が容器３１の底面に当接する。このとき、センサ保持部材４２の側部突片７１，７１が容器３１における底面凹所３１Ｔより外側に当接し、センサ保持部材４２における中心部分、即ち、磁気センサ３０を収容した部分は、容器３１に対向し、その容器３１の底面との間に僅かな隙間が形成された状態になる。
【００６２】
この状態で、内部部品アッシ４８の上面に透視部材３３を敷設する。すると、透視部材３３の環状突部３３Ａが防水リング３２に上方から当接する。なお、図１４に示すように、内部部品アッシ４８の上面に透視部材３３を予め組み付けた状態にして、その内部部品アッシ４８を容器３１に挿入してもよい。
【００６３】
そして、透視部材３３により容器３１の上面開口が塞がれた状態で、容器３１の上縁部が、図示しないカーリングマシンによって内側に窄められるように、カーリング加工される。具体的には、容器３１の上縁部を、透視部材３３の上縁部にＲ形状に対応させて丸みを帯びた形状に変形される。これにより、透視部材３３の全周が容器３１に固定されると共に、防水リング３２が透視部材３３に押されて圧縮変形する。これにより、容器３１の内部が密閉されると共に、防水リング３２の弾発力によってに透視部材３３が容器３１におけるカーリング部３１Ｃに押し付けられて、がたつきの防止が図られる。
【００６４】
この状態で、内部部品アッシ４８は、容器３１の底面と、透視部材３３の下面との間に挟まれて固定される。ここで、容器３１の底面と透視部材３３の下面との間の寸法Ｌ１（図２参照）は、容器３１のカーリング加工の精度、防水リング３２及び透視部材３３の厚さ及び容器３１の深さの寸法精度等によってばらつく。また、内部部品アッシ４８の高さ寸法、即ち、基板保持部材４５の上面とセンサ保持部材４２の下面との間の寸法Ｌ２（図１１参照）も、内部部品アッシ４８の組付精度及び内部部品アッシ４８を構成する各部品の寸法精度によってばらつく。
【００６５】
ここで、本実施形態の計測部ユニット１３では、上記した各ばらつきが生じても、基板保持部材４５の上面とセンサ保持部材４２の下面との間の寸法Ｌ２が、容器３１の底面と透視部材３３の下面との間の寸法Ｌ１より大きくなるように設定されている。そして、センサ保持部材４２が、ハウジング本体４１の底壁５１に対して上下動可能に保持されかつ、片持ち梁５４の弾発力によってセンサ保持部材４２が容器３１の底面側に付勢されているので、寸法Ｌ１，Ｌ２の差分だけセンサ保持部材４２が上方に移動し、各寸法Ｌ１，Ｌ２のばらつきを吸収することができる。また、片持ち梁５４の弾発力により、センサ保持部材４２が容器３１の底面に押し付けられることで、常に容器３１の底面に当接した状態となり、容器３１の底面に対する磁気センサ３０の位置が安定すると共に、内部部品アッシ４８の容器３１内におけるがたつきも防止される。
【００６６】
以上のようにして構成された計測部ユニット１３は、前述のごとく、図１に示すように中間蓋２１に備えた凹所２３に上方から嵌合される。すると、計測部ユニット１３における容器３１の下面が、その凹所２３の底面に当接して位置決めされる。この状態で、計測部ユニット１３の上方から抜け止め筒２６が嵌合され、さらに、抜け止め筒２６の上方から抜け止め筒２６の外側に螺合リング２７が嵌合される。抜け止め筒２６の下端部からは側方にフランジ２６Ｆが張り出しており、螺合リング２７の上端部から内側に係止部２７Ｆが張り出している。そして、螺合リング２７の係止部２７Ｆが抜け止め筒２６のフランジ２６Ｆに係止した状態で、螺合リング２７がボディ本体２５の上部外周面に螺合される。これにより、計測部ユニット１３が抜け止め筒２６にて押さえられ、水道メータ１０が完成する。
【００６７】
なお、抜け止め筒２６の上面には、回動扉２８が備えられ、この回動扉２８は常には抜け止め筒２６の上面開口を塞ぎ、回動扉２８を起立させることで、抜け止め筒２６の上面開口が開放されて、計測部ユニット１３の表示器３５を見ることができる。
【００６８】
上述のように構成された本実施形態の水道メータ１０では、計測部ユニット１３の底部に備えた磁気センサ３０が、翼車１２に備えた磁石２０の上方に位置し、磁石２０によって生じた磁束が、磁気センサ３０を水平方向に横切る。すると、磁気センサ３０は、その磁気センサ３０を横切る磁束の向きに応じた電圧信号を出力する。従って、水道水が流れに応じて翼車１２と共に磁石２０が回転すると、磁気センサ３０の出力電圧が変化する。そして、計測部ユニット１３に備えた流量演算回路基板３４の回路が、磁気センサ３０の出力電圧の変化に基づいて磁石２０の回転数を計測し、水道水の流量を演算する。また、演算された水道水の流量は、表示器３５に表示される。
【００６９】
このように本実施形態の水道メータ１０に備えた計測部ユニット１３によれば、磁気センサ３０、回路基板３４、表示器３５及びインナーハウジング４０を組み付けた状態における上下方向の寸法と、容器３１の底面と透視部材３３との間隔とがばらついても、そのばらつきを片持ち梁５４の変形によって吸収することができる。これにより、容器３１内の複数の部品が、従来のように上下方向でがたつくことがなくなると共に過度の力を受けることがなくなる。また、これにより、各部品の寸法精度を高精度にせずにすむので、製造費も抑えることができる。さらに、この計測部ユニット１３では、ハウジング本体４１の底壁５１に形成された組付用開口６０における側部挿入口６０Ａから、組付用開口６０内にセンサ保持部材４２がスライド挿入されるだけで、側部突片７１と側部突条７３の間に薄肉部５７が挟持されかつ片持ち梁５４が弾性変形するので、センサ保持部材４２のハウジング本体４１に対する組み付け作業に熟練を要さず、組み付け作業を迅速に行うことができる。しかも、透視部材３３を容器３１の上面開口の内側に嵌合した状態で、容器３１の開口縁をカーリング加工することで、透視部材３３の全周が容器３１に係止して容器３１を確実に密閉することができる。
【００７０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、センサ保持部材４２とハウジング本体４１とが別体になっていたが、インナーハウジングに、センサ保持部材とハウジング本体とそれらセンサ保持部材とハウジング本体とを繋ぐ弾性変形部とを一体成形してもよい。
【００７１】
（２）また、基板保持部材４５とハウジング本体４１とに関しても、一体成形した構成としてもよい。
【００７２】
（３）前記実施形態では、センサ保持部材４２はハウジング本体４１に対して側方から組み付けられる構成であったが、上下方向から組み付けられる構成としてもよい。
【図面の簡単な説明】
【００７３】
【図１】本発明の一実施形態に係る水道メータの側断面図
【図２】計測部ユニットの側断面図
【図３】計測部ユニットの分解斜視図
【図４】ハウジング本体の分解斜視図
【図５】ハウジング本体の分解斜視図
【図６】ハウジング本体とセンサ保持部材の側断面図
【図７】センサ保持部材の斜視図
【図８】センサ保持部材の側断面図
【図９】回路基板とセンサ保持部材とが電線で繋がれた状態の斜視図
【図１０】回路基板とセンサ保持部材とが電線で繋がれた状態の斜視図
【図１１】センサ保持部材とハウジング本体とを組み付けた状態の斜視図
【図１２】センサ保持部材とハウジング本体とを組み付けた状態の斜視図
【図１３】センサ保持部材とハウジング本体とを組み付けた状態の斜視図
【図１４】内部部品アッシの透視部材を取り付けた状態の斜視図
【図１５】計測部ユニットの斜視図
【符号の説明】
【００７４】
１０    水道メータ
１２    翼車
１３    計測部ユニット
２０    磁石
３０    磁気センサ
３１    容器
３１Ｃ    カーリング部
３１Ｄ    段差部
３３    透視部材
３４    流量演算回路基板
３５    表示器
３６    フラット電線
４０    インナーハウジング
４１    ハウジング本体
４２    センサ保持部材
４３    上面ハウジング
４４    上面サブハウジング
４５    基板保持部材
５１    底壁
５２    側部電線収容口
５３    スリット
５４    片持ち梁
５５    押圧突部
５６    先端突起
５７    薄肉部
５７Ｄ    段差部
５８    厚肉部
５９    テーパー部
６０    組付用開口
６０Ａ    側部挿入口
６０Ｂ    側部開口縁
６３    ピン孔
６４    表示窓
６９    装飾シール
７０    センサ収容部
７１    側部突片
７２    突部摺接テーパー面
７３    側部突条
７４    突起収容溝
７５    押出テーパー底面
７６    係合孔
【図１】
2005292096.tif 000003
【図２】
2005292096.tif 000004
【図３】
2005292096.tif 000005
【図４】
2005292096.tif 000006
【図５】
2005292096.tif 000007
【図６】
2005292096.tif 000008
【図７】
2005292096.tif 000009
【図８】
2005292096.tif 000010
【図９】
2005292096.tif 000011
【図１０】
2005292096.tif 000012
【図１１】
2005292096.tif 000013
【図１２】
2005292096.tif 000014
【図１３】
2005292096.tif 000015
【図１４】
2005292096.tif 000016
【図１５】
2005292096.tif 000017